(57)【特許請求の範囲】
【請求項１】
移動体携帯端末あるいは通信手段を備えたゲーム機から成り、テレビジョン番組の放映を受信するテレビジョン受像機とは別の視聴者入力端末に通信回線を介してダウンロードされる制御プログラムが記憶され、且つ、
テレビジョン番組の放映前あるいは放映中に、視聴者入力端末に送出すべき情報が記憶され、
視聴者の要求により前記制御プログラムを視聴者入力端末にダウンロードさせ、また、前記情報を視聴者入力端末に表示するために通信回線を介して視聴者入力端末へと前記情報を送り、
テレビジョン受像機に写された放映中のテレビジョン番組の内容に基づき、制御プログラムによって視聴者入力端末に表示された前記情報に対して、視聴者による選択が行われ、所定の条件に基づいて視聴者入力端末からの選択情報及び視聴者識別子の受け取りを制限した状態において、視聴者の要求により、制御プログラムに基づき視聴者入力端末から通信回線を介して送出された該選択情報及び視聴者識別子を記憶することを特徴とするテレビ放送システム制御用サーバー。
【請求項２】
通信回線を介して視聴者入力端末に送られた情報には、少なくとも、数字及び／又は記号から成る選択肢が含まれていることを特徴とする請求項１に記載のテレビ放送システム制御用サーバー。
【請求項３】
選択情報には、選択肢中から選択された選択肢が含まれていることを特徴とする請求項２に記載のテレビ放送システム制御用サーバー。
【請求項４】
テレビジョン番組毎に制御プログラムがダウンロードされ、該制御プログラムは視聴者入力端末に記憶されることを特徴とする請求項１に記載のテレビ放送システム制御用サーバー。
【請求項５】
予め、視聴者識別子及び視聴者プロファイルが記憶されていることを特徴とする請求項１に記載のテレビ放送システム制御用サーバー。
【発明の詳細な説明】
【０００１】
【発明の属する技術分野】
本発明は、テレビ放送システム（テレビ放送方法）での使用に適した制御用サーバーに関し、更に詳しくは、通信回線を介した情報の伝達とテレビジョン放送とを組合せた、所謂双方向視聴者参加型テレビジョン番組に関連したテレビ放送システムでの使用に適した制御用サーバーに関する。
【０００２】
【従来の技術】
テレビジョン放送においては、多くの視聴者を確保し、より趣味性の高いテレビジョン番組とすることを目的として、視聴者の参加意識を高揚させるための手法が各種試みられている。かかる手法として、例えば、葉書による応募や、電話、ファクシミリ等による視聴者の嗜好や視聴者からの情報、意見をテレビジョン番組に反映させる手法、スタジオや屋外に限られた数の人を集めてテレビジョン番組に参加させ、その様子を放映し、擬似的に参加したような印象をテレビジョン番組の視聴者に与えるような手法を挙げることができる。
【０００３】
また、昨今のデジタル放送にみられるように、テレビジョン番組の放映中に、視聴者の嗜好や視聴者からの情報、意見をテレビジョン受像機及び通信網を利用して送信し、テレビジョン番組に反映させる手法も開発されている。
【０００４】
【発明が解決しようとする課題】
しかしながら、従来の手法では、テレビジョン番組の限られた放映時間内に多くの視聴者を参加させることは困難である。また、葉書や電話、ファクシミリを用いた方法では、多数の視聴者からの情報を瞬時に放映中のテレビジョン番組に反映させることが困難である。更には、デジタル放送では、例えば、家庭内にデジタル放送態様のテレビジョン受像機や専用チューナーを設置する必要があり、しかも、参加できる視聴者は１人に限られている。
【０００５】
従って、本発明の目的は、同時に多数の視聴者のテレビジョン番組への参加を可能とし、しかも、例えば、１台のテレビジョン受像機を視聴する複数の視聴者のテレビジョン番組への参加を可能とするテレビ放送システム（テレビ放送方法）を提供することにある。
【０００６】
【課題を解決するための手段】
上記の目的を達成するための本発明のテレビ放送システムは、
予め、制御用サーバーから通信回線を介して視聴者入力端末に制御プログラムをダウンロードし、かかる制御プログラムを視聴者入力端末に記憶しておき、
テレビジョン番組の放映前あるいは放映中に、視聴者入力端末に送出すべき情報（送出情報と呼ぶ）を制御用サーバーに記憶させておき、
テレビジョン番組の放映中に、視聴者の要求により、視聴者入力端末に記憶された制御プログラムに基づき、制御用サーバーから通信回線を介して視聴者入力端末は該情報（送出情報）を受け取り、該情報（送出情報）を視聴者入力端末に表示し、
放映中のテレビジョン番組の内容に基づき、視聴者入力端末に表示された該情報（送出情報）の視聴者による選択を行い、かかる選択情報及び視聴者識別子を、視聴者の要求により視聴者入力端末から通信回線を介して制御用サーバーに送出し、制御用サーバーに記憶し、
制御用サーバーに記憶された選択情報及び視聴者識別子に基づいた情報（表示情報と呼ぶ）を、放映中のテレビジョン番組で表示することを特徴とする。
【０００７】
本発明のテレビ放送システム（以下、単に、本発明と呼ぶ場合がある）におけるテレビジョン番組の内容は、特に制限があるものではなく、例えば、クイズ番組、ゲーム番組、各種の人気投票番組やリクエスト番組、アンケートや調査を含む番組、ドラマ番組、オークション番組、通信販売番組を例示することができる。
【０００８】
本発明において、制御用サーバーから通信回線を介して視聴者入力端末に送られた情報（送出情報）には、放映されるテレビジョン番組の内容に依存するが、少なくとも、数字及び／又は記号（アルファベットを含む）から成る選択肢が含まれていることが好ましい。そして、この場合、選択情報には、選択肢中から選択された選択肢が含まれていることが好ましい。
【０００９】
尚、送出情報の詳細な内容は、放映中のテレビジョン番組で放映されるので、視聴者は、テレビジョン受像機を視聴することによって、かかる詳細な内容を入手することができる。
【００１０】
例えば、放映されるテレビジョン番組がクイズ番組やゲーム番組、人気投票番組やリクエスト番組、アンケートや調査を含む番組、ドラマ番組の場合、送出情報に含まれる選択肢として、例えば質問に対する答えに相当する選択肢（例えば、数字である１，２，３・・・や、記号であるＡ，Ｂ，Ｃ・・・、「○」、「×」）を挙げることができる。また、選択情報として、選択肢中から選択された選択肢である数字及び／又は記号（例えば、数字の「１」、記号の「Ａ」、「○」）を挙げることができる。尚、送出情報には、クイズやゲームにおける簡単な質問、投票すべき人名や物品名、曲名等の投票対象を特定するための名称、アンケートや調査における簡単な質問、ドラマ登場人物の名前やドラマ展開に関する情報等、選択肢に関連した各種の情報が更に含まれていてもよい。
【００１１】
また、放映されるテレビジョン番組がオークション番組である場合、送出情報に含まれる選択肢として、入札の対象となる物品名を識別するための選択肢（例えば、数字である１，２，３・・・や、記号であるＡ，Ｂ，Ｃ・・・）を挙げることができる。また、選択情報として、選択肢中から選択された選択肢である入札の対象となる物品の識別子（例えば、数字の「１」、記号の「Ａ」）、及び、入札金額を挙げることができる。尚、送出情報には、オークションの対象となる物品名や最低希望落札価格等が更に含まれていてもよい。
【００１２】
更には、放映されるテレビジョン番組が通信販売番組である場合、送出情報に含まれる選択肢として、通信販売の対象となる物品の識別子（例えば、数字である１，２，３・・・や、記号であるＡ，Ｂ，Ｃ・・・、）を挙げることができる。また、選択情報として、選択肢中から選択された選択肢である購入の対象となる物品の識別子（例えば、数字の「１」、記号の「Ａ」）、及び、数量を挙げることができる。尚、送出情報には、通信販売の対象となる物品名や価格等が更に含まれていてもよい。
【００１３】
放映されるテレビジョン番組の内容如何に拘わらず、送出情報には、更に、映像（動画及び／又は静止画を含む）や音、音声が含まれていてもよい。
【００１４】
本発明においては、テレビジョン番組毎に制御プログラムをダウンロードし、かかる制御プログラムを視聴者入力端末に記憶しておくことが望ましい。
【００１５】
尚、視聴者入力端末（より具体的には、視聴者入力端末に備えられた、例えば、フラッシュＥＥＰＲＯＭから成る電気的に書き換え可能な不揮発性メモリ）に記憶された制御プログラムによって、所定の制御用サーバーへの通信回線を介したアクセス、制御用サーバーからの送出情報の入手、視聴者入力端末における送出情報の表示、送出情報の視聴者による情報選択、視聴者入力端末からの通信回線を介しての制御用サーバーへの選択情報及び視聴者識別子の送出を行うことができる。
【００１６】
選択情報及び視聴者識別子と併せて、視聴者プロファイルを、視聴者入力端末から通信回線を介して制御用サーバーに送出してもよいが、送出データの簡素化といった観点からは、制御用サーバーに、予め、視聴者識別子及び視聴者プロファイルを登録、記憶させておくことが好ましい。視聴者識別子として、例えば、予め、制御用サーバーから通信回線を介して視聴者入力端末に制御プログラムをダウンロードした際に付与される識別子（ＩＤ，例えば、数字、アルファベットあるいは記号、数字とアルファベットや記号の組合せ）を挙げることができ、かかる識別子は、制御プログラムと一緒に視聴者入力端末に記憶される。この場合、視聴者プロファイルとして、視聴者の電話番号や、氏名、住所、郵便番号、性別、年齢、職業等を挙げることができる。あるいは又、視聴者識別子として、例えば、電話番号を挙げることができる。この場合、視聴者プロファイルとして、視聴者の氏名、住所、郵便番号、性別、年齢、職業等を挙げることができる。これらの場合、制御用サーバーから通信回線を介して視聴者入力端末に制御プログラムをダウンロードする際、かかる視聴者プロファイルを、制御用サーバーの要請に応じて、制御用サーバーにアップロードすればよい。
【００１７】
本発明における視聴者入力端末は、携帯電話や携帯式電子メール端末といった移動体携帯端末、パーソナルコンピュータ、ワークステーション、通信手段を備えたゲーム機、携帯ゲーム機と携帯電話の組合せ、パーソナルコンピュータと携帯電話の組合せ等、インターネット、ＩＳＤＮ回線を含む電話回線といった通信回線を介して制御用サーバーにアクセスできる手段であれば、如何なる手段であってもよいが、構成の容易さ、簡素化といった観点、あるいは又、１台のテレビジョン受像機を視聴する複数の視聴者のテレビジョン番組への参加、公共の広いスペースに設置された大画面テレビジョンの前に集まった大衆のテレビジョン番組への参加をより一層容易にするために、携帯電話や携帯式電子メール端末といった移動体携帯端末、あるいは、携帯ゲーム機と携帯電話の組合せを用いることが好ましい。視聴者入力端末には、送出情報を表示するために、例えば液晶表示装置等の表示手段が備えられていることが必要とされる。通信回線には、場合によっては、光ファイバ、無線、ＩｒＤＡを含む赤外線、無線ＬＡＮのプロトコルの１つであるＢｌｕｅｔｏｏｔｈやＨｏｍｅＲＦ、あるいは、これらの組合せ等が含まれる。通信回線を介しての視聴者入力端末と制御用サーバーとの接続には、所謂プロバイダが介在する形態も含まれる。視聴者入力端末と制御用サーバーとの接続は、テレビジョン番組の放映中、常時である必要は無く、必要に応じて接続すればよい。
【００１８】
テレビジョン番組の放映は、地上波を用いた放映、通信衛星を用いた放映、ケーブルテレビジョンを用いた放映等、その形態は任意である。テレビジョン番組は、制作と同時に放映される形態であってもよいし、録画を放映する形態であってもよい。テレビジョン番組の制作現場は、放送局のスタジオだけでなく、屋外等、任意の場所とすることができる。
【００１９】
送出情報を、テレビジョン番組の放映前に予め作成し、テレビジョン番組の放映前に制御用サーバーに記憶させておいてもよいし、テレビジョン番組の放映中に制御用サーバーに記憶させてもよいし、あるいは又、テレビジョン番組の放映中に作成し、テレビジョン番組の放映中に制御用サーバーに記憶させてもよい。
【００２０】
制御用サーバーは、通常のコンピュータ（例えば、ＵＮＩＸ等の各種オペレーション・システム（ＯＳ）を備えたデータベース・サーバー）を使用すればよい。制御用サーバーは、テレビジョン番組を制作する組織に配備してもよいし、かかる組織とは別の組織に配備していてもよい。制御用サーバーは、１つであってよいし、例えば、制御用サーバーを、複数の子制御用サーバーと、これらの子制御用サーバーを全体的に統合、制御する親制御用サーバーから構成してもよい。この場合、例えば、親制御用サーバーにおいては、制御プログラムの記憶、視聴者プロファイルの記憶、視聴者入力端末に送出すべき送出情報を記憶し、テレビジョン番組の放映中に、視聴者の要求により、視聴者入力端末に記憶された制御プログラムに基づき、親制御用サーバーから通信回線を介して視聴者入力端末は送出情報を受け取り、送出情報を視聴者入力端末に表示する。また、子制御用サーバーにおいては、視聴者入力端末から通信回線を介して選択情報及び視聴者識別子を受け取り、記憶し、選択情報及び視聴者識別子に対する処理を行い、かかる処理の結果を親制御用サーバーへと送出し、かかる処理の結果を受け取った親制御用サーバーは、更に、かかる処理結果に基づいた選択情報及び視聴者識別子に対する処理を行う。子制御用サーバーは、例えば、地域（地方や県、大都市）毎に配置すればよい。尚、制御用サーバーを親制御用サーバーと子制御用サーバーとから構成する場合、以下の説明において、「制御用サーバー」を、親制御用サーバー、子制御用サーバーに、適宜読み分ければよい。
【００２１】
制御用サーバーに記憶された選択情報及び視聴者識別子に基づいた情報（表示情報）を放映中のテレビジョン番組で表示するために、テレビジョン番組制作現場と制御用サーバーとは、通信回線あるいはＬＡＮ（Local Area Network）を介して接続されていることが好ましい。
【００２２】
視聴者入力端末からの選択情報及び視聴者識別子を受け取る制御用サーバーにおいては、例えば、視聴者入力端末の電話番号の末尾１桁の数字や市外局番、視聴者識別子の末尾１桁の数字や記号、放映中のテレビジョン番組の時刻・時間帯等に基づき、視聴者入力端末からの選択情報及び視聴者識別子の受け取りを制限してもよい。
【００２３】
制御用サーバーは、制御プログラムの記憶、送出情報の記憶、場合によっては、視聴者識別子及び視聴者プロファイルの記憶を行い、併せて、視聴者入力端末から送出された選択情報及び視聴者識別子を記憶する。制御用サーバーは、更に、記憶した選択情報及び視聴者識別子に対する各種処理を行うことが好ましい。例えば、クイズ番組にあっては、例えば、クイズの正解・不正解の判断、正解者の集計、正解者の選別・抽出、選択肢毎の回答数の集計、正解率の計算、正解率と視聴者プロファイルとの相関分析、回答に要した時間の集計等の処理を行う。ゲーム番組や人気投票番組、リクエスト番組、アンケートや調査を含む番組、ドラマ番組にあっては、例えば、選択情報の集計、回答者の選別・抽出、選択肢毎の回答数の集計、回答率の計算、回答率と視聴者プロファイルとの相関分析、回答に要した時間の集計等の処理を行う。オークション番組にあっては、例えば、最高落札価格の決定、落札者の確定、オークション参加者の視聴者プロファイルと入札価格の相関分析、オークション参加者の視聴者プロファイルの分析等の処理を行う。通信販売番組にあっては、例えば、通信販売された物品の販売量、視聴者プロファイルと通信販売された物品の相関分析、物品の視聴者への発送処理、売り上げ集計等の処理を行う。尚、制御用サーバーによってどのような処理を行い、処理結果を表示情報としてどのように表示するかを、例えば、テレビジョン番組制作現場に配設された制御装置により指示することもできる。かかる制御装置は、通信回線あるいはＬＡＮを介して制御用サーバーに接続されていることが好ましい。
【００２４】
放映中のテレビジョン番組で制御用サーバーに記憶された選択情報及び視聴者識別子、場合によっては、更に、視聴者プロファイルに基づいた情報（表示情報）を表示する。かかる表示情報は、テレビジョン番組の内容に依存するが、上述の制御用サーバーによる各種の処理によって得られたデータから適宜選択された情報を表示すればよい。テレビジョン番組が制作と同時に放映される形態である場合には、かかる表示情報の表示を、テレビジョン番組制作現場に置かれた表示装置により行ってもよいし、テレビジョン番組出演者によって発表してもよい。尚、表示装置として、ＣＲＴ、液晶表示装置、プラズマ表示装置等の電気・電子的な表示装置だけでなく、パネル、黒板、白板等を挙げることができる。テレビジョン番組が録画を放映する形態である場合には、かかる表示情報の表示を、テロップにより行ってもよい、アナウンサーによる音声を介した発表としてもよい。
【００２５】
視聴者へのテレビジョン番組の開始告知は、事前の放送や、新聞、雑誌等によって行ってもよいし、制御用サーバーを介して、視聴者入力端末に文字や絵、音声や音によって行ってもよい。視聴者へのテレビジョン番組の開始告知を事前の放送や、新聞、雑誌等によって行うときには、場合によっては、視聴者の要求により、視聴者入力端末に記憶された制御プログラムに基づき、制御用サーバーから通信回線を介して視聴者入力端末にて送出情報を受け取る操作を、テレビジョン番組の放映前に行ってもよい。
【００２６】
アップロードやダウンロード、視聴者入力端末からの要求の具体的な方法、各種情報の送出や入手等は、使用する視聴者入力端末や通信回線に依存し、視聴者入力端末や通信回線によって規定された方法で行えばよい。
【００２７】
本発明においては、視聴者入力端末から選択情報及び視聴者識別子を通信回線を介して制御用サーバーに送出するので、同時に多数の視聴者がテレビジョン番組へ参加することが可能となるし、例えば、１台のテレビジョン受像機を視聴する複数の視聴者のテレビジョン番組への参加が可能となる。しかも、予め、制御用サーバーから制御プログラムをダウンロードし、かかる制御プログラムを視聴者入力端末に記憶しておくので、所定の制御用サーバーへの通信回線を介したアクセス、制御用サーバーからの送出情報の入手、視聴者入力端末における送出情報の表示、送出情報の視聴者による情報選択、視聴者入力端末からの通信回線を介しての制御用サーバーへの選択情報及び視聴者識別子の送出等の各種の処理を、視聴者入力端末において容易に行うことが可能となる。
【００２８】
【発明の実施の形態】
以下、図面を参照して、発明の実施の形態（以下、実施の形態と略称する）に基づき本発明を説明する。
【００２９】
本発明のテレビ放送システムの概念図を図１に示す。テレビ放送システムは、制御用サーバー１０、通信回線２０である携帯電話通信回線網、携帯電話から成る視聴者入力端末３０、テレビジョン受像機（ＴＶ受像機）４０、制御用サーバー１０に通信回線５１を介して接続され、テレビジョン放送局５０内のスタジオであるテレビジョン番組制作現場に配置された制御装置５２、制御装置５２に接続された表示装置５３から構成されている。尚、テレビジョン番組の放送は、公知の既存のテレビジョン放送設備を使用すればよい。また、テレビジョン番組制作現場は、かかる形態に限定するものではない。
【００３０】
例えば、ＵＮＩＸ等の各種オペレーション・システム（ＯＳ）を備えたデータベース・サーバーから構成された制御用サーバー１０は、制御プログラムの記憶、送出情報の記憶、視聴者識別子及び視聴者プロファイルの記憶を行い、併せて、視聴者入力端末３０から送出された選択情報及び視聴者識別子を記憶する。制御用サーバー１０は、更に、視聴者入力端末３０から送出された選択情報及び視聴者識別子に対する各種処理を行う。通信回線２０は、周知の構成を有する。視聴者入力端末３０を構成する携帯電話には、制御プログラムを記憶するためのメモリ、及び、送出情報を表示するための液晶表示装置が備えられている。尚、視聴者入力端末３０を、ゲーム機と携帯電話の組合せとする場合には、例えば、ゲーム機に、制御プログラムを記憶するためのメモリ、及び、送出情報を表示するための液晶表示装置が備えられていてもよい。テレビジョン受像機４０は、テレビジョン放送の形態に依存して、地上波を用いた放映を受信できるテレビジョン受像機、通信衛星を用いた放映を受信できるテレビジョン受像機、ケーブルテレビジョン放映を受信できるテレビジョン受像機等、周知のテレビジョン受像機から構成することができる。制御装置５２は、例えば、従来のパーソナルコンピュータやワークステーションを利用すればよい。制御装置５２に接続された表示装置５３も、周知の表示装置とすることができる。
【００３１】
（実施の形態１）
実施の形態１のテレビ放送システム（テレビ放送方法）を、図２に示す概略フローに基づき、以下、説明する。尚、実施の形態１においては、テレビジョン番組を、テレビジョン放送局５０のスタジオでの制作と同時に放映される形態とし、また、テレビジョン番組をクイズ番組とする。
【００３２】
先ず、予め、制御用サーバー１０から通信回線２０を介して視聴者入力端末３０を構成する携帯電話に制御プログラムをダウンロードし、かかる制御プログラムを視聴者入力端末３０を構成する携帯電話に記憶しておく。制御プログラムのダウンロードは、視聴者入力端末３０から通信回線２０を介して制御用サーバー１０にアクセスし、制御用サーバー１０の指示に基づき行えばよい。また、制御プログラムをダウンロードするに先立ち、制御用サーバー１０からの指示に従って、例えば、視聴者の電話番号や、氏名、住所、郵便番号、性別、年齢、職業等の視聴者プロファイルを制御用サーバー１０にアップロードし、登録する。視聴者プロファイルを受け取った制御用サーバー１０は、かかる視聴者プロファイルを記憶すると共に、識別子ＩＤ（例えば、数字、アルファベットあるいは記号、数字とアルファベットや記号の組合せ）を視聴者識別子として生成し、通信回線２０を介して視聴者入力端末３０へ制御プログラムと併せて送出する。視聴者入力端末３０を構成する携帯電話では、かかる視聴者識別子を制御プログラムと共に記憶する。尚、制御用サーバー１０においては、視聴者識別子及び視聴者プロファイルといったデータを一種のデータベース化して記憶、保存し、また、重複の無い視聴者識別子を生成すればよい。
【００３３】
視聴者へのテレビジョン番組の開始告知は、事前の放送や、新聞、雑誌等、あるいは、制御用サーバー１０を介して、視聴者入力端末３０を構成する携帯電話に文字や絵、音声や音によって行えばよい。
【００３４】
テレビジョン番組の放映前あるいは放映中に、視聴者入力端末３０を構成する携帯電話に送出すべき送出情報を制御用サーバー１０に記憶させておく。送出情報として、クイズにおける簡単な質問内容である「質問Ａ」、及び「質問Ａ」に関連した選択肢「１  ２  ３」を例示することができる。
【００３５】
テレビジョン番組の放映中に、視聴者の要求により、視聴者入力端末３０を構成する携帯電話に記憶された制御プログラムに基づき、制御用サーバー１０から通信回線２０を介して視聴者入力端末３０は送出情報を受け取り、送出情報を視聴者入力端末３０に表示する。具体的には、テレビジョン番組の放映中に、例えば、「質問Ａ」の具体的な内容が放映されているとする。この内容を視聴した視聴者は、このとき（それ以前であってもよい）、携帯電話を用いて電話を掛け、制御プログラムの制御下、制御用サーバー１０にアクセスする。そして、制御プログラムに基づき、制御用サーバー１０から通信回線２０を介して携帯電話は送出情報である「質問Ａ」、及び選択肢「１  ２  ３」を受け取る。これらの送出情報が、携帯電話の液晶表示装置に表示される。
【００３６】
そして、放映中のテレビジョン番組の内容に基づき、視聴者入力端末３０に表示された送出情報の視聴者による選択を行い、かかる選択情報及び視聴者識別子を、視聴者の要求により視聴者入力端末３０から通信回線２０を介して制御用サーバー１０に送出し、制御用サーバー１０に記憶させる。具体的には、例えば、「質問Ａ」の具体的な内容、及び、選択肢１，２，３のそれぞれの具体的な内容を視聴した視聴者は、これらの内容に基づき、視聴者入力端末３０を構成する携帯電話に表示された選択肢「１  ２  ３」の中から正解と思われる選択肢（例えば「１」）をキー「１」を押して選択し、あるいは、カーソルを移動させて選択し、例えば、送信ボタンに該当するキーを押すことによって、かかる選択情報（例えば「１」）を、制御プログラムの制御下、携帯電話から通信回線２０を介して制御用サーバー１０に送出する。視聴者識別子である識別子ＩＤも、制御プログラムの制御下、同時に、携帯電話から通信回線２０を介して制御用サーバー１０に送出される。選択情報（例えば「１」）及び視聴者識別子である識別子ＩＤは、制御用サーバー１０に記憶される。
【００３７】
次いで、制御用サーバー１０に記憶された選択情報及び視聴者識別子に基づいた表示情報が、放映中のテレビジョン番組で表示される。具体的には、制御用サーバー１０は、視聴者入力端末３０から送出された選択情報及び視聴者識別子に対する各種処理を行う。即ち、例えば、クイズの正解・不正解の判断、正解者の集計、正解者の選別・抽出、選択肢毎の回答数の集計、正解率の計算、正解率と視聴者プロファイルとの相関分析、回答に要した時間の集計等の処理を行う。制御用サーバー１０においてどのような処理を行うかは、制御用サーバー１０に通信回線５１を介して接続され、テレビジョン番組制作現場に配置された制御装置５２に入力された指示内容に基づき行ってもよいし、予め、処理内容を決定しておき、制御用サーバー１０にかかる処理内容に相当するプログラムを記憶させておいてもよい。例えば、正解者を１人、抽出する場合には、正解をした視聴者の視聴者識別子に重複のない整数を付与し、乱数を発生させ、かかる乱数値と一致する整数が付与された視聴者識別子を有する視聴者を抽出された正解者とすればよい。
【００３８】
そして、放映中のテレビジョン番組で、例えば、正解の番号、抽出された正解者の氏名を表示装置５３に表示し、テレビジョン番組出演者によって発表する。尚、正解者の氏名は、制御用サーバー１０に登録、記憶された視聴者識別子及び視聴者プロファイルに基づき抽出すればよい。
【００３９】
尚、制御用サーバー１０の負荷軽減のために、制御用サーバー１０を、複数の子制御用サーバーと、これらの子制御用サーバーを全体的に統合、制御する親制御用サーバーから構成してもよい。この場合、親制御用サーバーにおいては、制御プログラムの記憶、視聴者プロファイルの記憶、視聴者入力端末３０に送出すべき送出情報を記憶し、子制御用サーバーにおいては、視聴者入力端末３０から選択情報及び視聴者識別子を受け取り、記憶し、選択情報及び視聴者識別子に対する処理を行い、かかる処理の結果を親制御用サーバーに送出し、処理結果を受け取った親制御用サーバーは、かかる処理結果に基づき、更に、選択情報及び視聴者識別子に対する処理を行う構成とすることができる。子制御用サーバーにおいては、例えば、クイズの正解・不正解の判断、正解者の集計、選択肢毎の回答数の集計、正解率の計算、回答に要した時間の集計等の処理を行う。そして、これらの処理結果を、親制御用サーバーに通信回線を介して送出すればよい。これらの処理結果を受け取った親制御用サーバーにおいては、例えば、正解者の選別・抽出、正解率と視聴者プロファイルとの相関分析等を行えばよい。このような構成にすることで、制御用サーバーへの集中したアクセスを抑制することが可能となり、制御用サーバーの負荷、通信回線の負荷の低減を図ることができる。あるいは又、例えば、視聴者入力端末３０からの選択情報及び視聴者識別子を受け取る制御用サーバーあるいは子制御用サーバーにおいて、例えば、視聴者入力端末の電話番号の末尾１桁の数字や市外局番、視聴者識別子の末尾１桁の数字や記号、放映中のテレビジョン番組の時刻・時間帯等に基づき、視聴者入力端末からの選択情報及び視聴者識別子の受け取りを制限してもよい。
【００４０】
（実施の形態２）
実施の形態２においては、テレビジョン番組を、テレビジョン放送局５０のスタジオでの制作と同時に放映される形態とし、また、テレビジョン番組をアンケートを含む番組とする。
【００４１】
視聴者プロファイルの制御用サーバー１０へのアップロード、制御用サーバー１０における視聴者識別子の生成、記憶、視聴者入力端末３０への視聴者識別子及び制御プログラムのダウンロード、視聴者入力端末３０における視聴者識別子及び制御プログラムの記憶は、実施の形態１と同様とすることができるので、詳細な説明は省略する。
【００４２】
視聴者へのテレビジョン番組の開始告知は、事前の放送や、新聞、雑誌等、あるいは、制御用サーバー１０を介して、視聴者入力端末３０を構成する携帯電話に文字や絵、音声や音によって行えばよい。
【００４３】
テレビジョン番組の放映前あるいは放映中に、視聴者入力端末３０を構成する携帯電話に送出すべき送出情報を制御用サーバー１０に記憶させておく。送出情報として、アンケートにおける簡単な質問内容である「質問１」、及び「質問１」に関連した選択肢「Ａ  Ｂ  Ｃ  Ｄ」を例示することができる。
【００４４】
テレビジョン番組の放映中に、視聴者の要求により、視聴者入力端末３０を構成する携帯電話に記憶された制御プログラムに基づき、制御用サーバー１０から通信回線２０を介して視聴者入力端末３０は送出情報を受け取り、送出情報を視聴者入力端末３０に表示する。これらの各種処理も、実施の形態１と同様とすることができるので、詳細な説明は省略する。尚、「質問１」、及び選択肢「Ａ  Ｂ  Ｃ  Ｄ」といった送出情報が携帯電話の液晶表示装置に表示される。
【００４５】
そして、放映中のテレビジョン番組の内容に基づき、視聴者入力端末３０に表示された送出情報の視聴者による選択を行い、かかる選択情報及び視聴者識別子を、視聴者の要求により視聴者入力端末３０から通信回線２０を介して制御用サーバー１０に送出し、制御用サーバー１０に記憶させる。具体的には、例えば、アンケートにおける「質問１」の具体的な内容、及び、選択肢Ａ，Ｂ，Ｃ，Ｄのそれぞれの具体的な内容を視聴した視聴者は、これらの内容に基づき、視聴者入力端末３０を構成する携帯電話に表示された選択肢「Ａ  Ｂ  Ｃ  Ｄ」の中から、例えばカーソルを移動させて選択し、例えば、送信ボタンに該当するキーを押すことによって、かかる選択情報（例えば「Ｂ」）を、制御プログラムの制御下、携帯電話から通信回線２０を介して制御用サーバー１０に送出する。視聴者識別子である識別子ＩＤも、制御プログラムの制御下、同時に、携帯電話から通信回線２０を介して制御用サーバー１０に送出される。選択情報（「Ｂ」）及び視聴者識別子である識別子ＩＤは、制御用サーバー１０に記憶される。
【００４６】
次いで、制御用サーバー１０に記憶された選択情報及び視聴者識別子に基づいた表示情報が、放映中のテレビジョン番組で表示される。具体的には、制御用サーバーは、視聴者入力端末３０から送出された選択情報及び視聴者識別子に対する各種処理を行う。即ち、例えば、選択情報の集計、回答者の選別・抽出、選択肢毎の回答数の集計、回答率の計算、回答率と視聴者プロファイルとの相関分析、回答に要した時間の集計等の処理を行う。そして、放映中のテレビジョン番組で、これらの処理結果を表示装置５３に表示し、テレビジョン番組出演者によって発表する。尚、実施の形態１にて説明したと同様に、制御用サーバー１０の負荷軽減のために、制御用サーバー１０を、複数の子制御用サーバーと、これらの子制御用サーバーを全体的に統合、制御する親制御用サーバーから構成してもよい。更には、実施の形態１にて説明したように、視聴者入力端末３０に一定の条件を加え、視聴者入力端末３０からの選択情報及び視聴者識別子の受け取りを制限してもよい。
【００４７】
（実施の形態３）
放映中のテレビジョン番組の内容が放映された時点から、視聴者入力端末に表示された送出情報の視聴者による選択を行うまでに要した時間（選択に要した時間と呼ぶ）が重要な要素となるようなテレビジョン番組がある。このようなテレビジョン番組として、所謂早押しクイズ番組や、販売個数が限定された物品等を販売する通信販売番組を例示することができる。このような場合には、視聴者入力端末３０における設定時刻の正確さが要求される。しかしながら、現実の視聴者入力端末３０においては、設定時刻が正確な時刻と相違している場合が多々ある。
【００４８】
実施の形態３においては、このような選択に要した時間が重要な要素となるようなテレビジョン番組に、本発明のテレビ放送システムを適用する。具体的には、実施の形態３においては、テレビジョン番組を、テレビジョン放送局５０のスタジオでの制作と同時に放映される形態とし、また、テレビジョン番組を早押しクイズ番組とする。
【００４９】
視聴者プロファイルの制御用サーバー１０へのアップロード、制御用サーバー１０における視聴者識別子の生成、記憶、視聴者入力端末３０への視聴者識別子及び制御プログラムのダウンロード、視聴者入力端末３０における視聴者識別子及び制御プログラムの記憶は、実施の形態１と同様とすることができるので、詳細な説明は省略する。
【００５０】
視聴者へのテレビジョン番組の開始告知は、事前の放送や、新聞、雑誌等、あるいは、制御用サーバー１０を介して、視聴者入力端末３０を構成する携帯電話に文字や絵、音声や音によって行えばよい。
【００５１】
テレビジョン番組の放映前あるいは放映中に、視聴者入力端末３０を構成する携帯電話に送出すべき送出情報を制御用サーバー１０に記憶させておく。送出情報として、クイズにおける簡単な質問内容である「質問Ａ」、及び「質問Ａ」に関連した選択肢「１  ２  ３」を例示することができる。
【００５２】
テレビジョン番組の放映中に、視聴者の要求により、視聴者入力端末３０を構成する携帯電話に記憶された制御プログラムに基づき、制御用サーバー１０から通信回線２０を介して視聴者入力端末３０は送出情報を受け取り、送出情報を視聴者入力端末３０に表示する。これらの各種処理も、実施の形態１と同様とすることができるので、詳細な説明は省略する。尚、「質問Ａ」、及び選択肢「１  ２  ３」といった送出情報が携帯電話の液晶表示装置に表示される。
【００５３】
実施の形態１と異なり、実施の形態３においては、制御プログラムの制御下、制御用サーバー１０から通信回線２０を介して視聴者入力端末３０が送出情報を受け取る前に、あるいは受け取った後に、視聴者入力端末３０における設定時刻（視聴者入力端末時刻と呼ぶ）を制御用サーバー１０に送出する。かかる視聴者入力端末時刻を受け取った制御用サーバー１０は、制御用サーバー１０における内部時刻と視聴者入力端末時刻との差を、視聴者入力端末時刻差ΔＴとして、視聴者入力端末毎に記憶する。
【００５４】
そして、放映中のテレビジョン番組の内容に基づき、視聴者入力端末３０に表示された送出情報の視聴者による選択を行い、かかる選択情報及び視聴者識別子を、視聴者の要求により視聴者入力端末３０から通信回線２０を介して制御用サーバー１０に送出し、制御用サーバー１０に記憶させる。具体的には、例えば、「質問Ａ」の具体的な内容、及び、選択肢１，２，３のそれぞれの具体的な内容を視聴した視聴者は、これらの内容に基づき、加えて、例えば、「回答を選択して下さい」といったテレビジョン番組における指示に基づき、視聴者入力端末３０を構成する携帯電話に表示された選択肢「１  ２  ３」の中から、例えばカーソルを移動させて選択する。制御プログラムの制御下、視聴者入力端末３０には、選択肢が選択されたときの時刻（選択時刻と呼ぶ）が記憶される。その後、例えば、送信ボタンに該当するキーを押すことによって、かかる選択情報（例えば「２」）を、制御プログラムの制御下、携帯電話から通信回線２０を介して制御用サーバー１０に送出する。視聴者識別子である識別子ＩＤ及び選択時刻も、制御プログラムの制御下、同時に、携帯電話から通信回線２０を介して制御用サーバー１０に送出される。選択情報（「２」）、視聴者識別子である識別子ＩＤ及び選択時刻は、制御用サーバー１０に記憶される。
【００５５】
次いで、制御用サーバー１０に記憶された選択情報、視聴者識別子及び選択時刻に基づいた表示情報が、放映中のテレビジョン番組で表示される。具体的には、制御用サーバー１０は、視聴者入力端末３０から送出された選択情報及び視聴者識別子に対する各種処理を行う。即ち、例えば、クイズの正解・不正解の判断、正解者の集計、正解者の選別・抽出、選択肢毎の回答数の集計、正解率の計算、正解率と視聴者プロファイルとの相関分析等の処理を行う。更には、「回答を選択して下さい」といったテレビジョン番組における指示から選択に要した時間（選択時刻までの時間）を、選択時刻と、制御用サーバー１０に記憶された視聴者入力端末毎の視聴者入力端末時刻差ΔＴとに基づき求める。即ち、送出された選択時刻を視聴者入力端末時刻差ΔＴによって補正し、制御用サーバーの内部時刻を基準とした選択時刻を求める。回答が正解であって、しかも、選択（回答）に要した時間が最も短かった視聴者が、早押しクイズの正解者となる。尚、制御用サーバー１０においてどのような処理を行うかは、制御用サーバー１０に通信回線５１を介して接続され、テレビジョン番組制作現場に配置された制御装置５２に入力された指示内容に基づき行ってもよいし、予め、処理内容を決定しておき、制御用サーバー１０にかかる処理内容に相当するプログラムを記憶させておいてもよい。
【００５６】
そして、放映中のテレビジョン番組で、例えば、正解の番号、選択（回答）に要した時間が最も短かった正解者の氏名を表示装置５３に表示し、テレビジョン番組出演者によって発表する。尚、正解者の氏名は、制御用サーバー１０に登録、記憶された視聴者識別子及び視聴者プロファイルに基づき抽出すればよい。
【００５７】
実施の形態１と同様に、制御用サーバー１０の負荷軽減のために、制御用サーバー１０を、複数の子制御用サーバーと、これらの子制御用サーバーを全体的に統合、制御する親制御用サーバーから構成してもよい。更には、実施の形態１にて説明したように、視聴者入力端末３０に一定の条件を加え、視聴者入力端末３０からの選択情報及び視聴者識別子の受け取りを制限してもよい。
【００５８】
このように、実施の形態３におけるテレビ放送システムにおいては、テレビジョン番組の放映中に或る種のイベント（事象）が発生してから、視聴者がかかるイベント（事象）に応答・対応・回答するまでに要した時間を、視聴者入力端末における設定時刻の正確・不正確に拘わらず、正確に求めることができる。即ち、予め、視聴者入力端末における設定時刻を制御用サーバーに送出し、制御用サーバーにおいては、制御用サーバー内部の時刻と視聴者入力端末における設定時刻との間の差（視聴者入力端末時刻差）を視聴者入力端末毎に記憶しておき、視聴者がイベント（事象）に応答・対応・回答したときの視聴者入力端末の時刻（選択時刻）を制御用サーバーに送出することによって、イベント（事象）が発生したときの制御用サーバーの時刻と選択時刻と視聴者入力端末時刻差とに基づき、視聴者がイベント（事象）の発生から応答・対応・回答するまでに要した時間を制御用サーバーの内部時刻を基準として求めることができる。また、選択時刻を制御用サーバーに送出するまでに要した時間の長短に依存せずに、視聴者がイベント（事象）の発生から応答・対応・回答するまでに要した時間を、制御用サーバーは求めることができる。
【００５９】
以上、本発明を、発明の実施の形態に基づき説明したが、本発明はこれらに限定されるものではない。発明の実施の形態にて説明したテレビジョン番組の内容、送出情報や選択情報、放映中のテレビジョン番組で表示する表示情報等は例示であり、適宜変更することができる。また、テレビ放送システムの構成、制御用サーバー、通信回線、視聴者入力端末等も例示であり、適宜変更することができる。視聴者入力端末にその位置を識別できる手段（例えば、全地球測位システム，Global Positioning Systems，ＧＰＳや、ＧＰＳにＤ−ＧＰＳを加えたシステム）を備えておけば、視聴者入力端末から通信回線を介して制御用サーバーに送出する情報として、視聴者入力端末の位置情報を加えることができる。これによって、制御用サーバーに記憶された選択情報及び視聴者識別子に基づいた情報を放映中のテレビジョン番組で表示するとき、例えば、視聴者の所在地を併せて正確に表示することが可能となるし、制御用サーバーにおいて、記憶した選択情報及び視聴者識別子に対する各種処理を行うとき、視聴者が実際に位置する場所（地域や都市等）を分析対象項目とすることが可能となる。
【００６０】
【発明の効果】
本発明のテレビ放送システム（テレビ放送方法）においては、例えば、視聴者と携帯電話通信回路網とテレビジョン放送網の間にインターネット技術を介在させることによって、同時に多数の視聴者がテレビジョン番組へ参加することを可能とし、例えば、１台のテレビジョン受像機を視聴する複数の視聴者のテレビジョン番組への参加、公共の広いスペースに設置された大画面テレビジョンの前に集まった大衆のテレビジョン番組への参加が可能となる。しかも、予め、視聴者入力端末に制御プログラムをダウンロードし、視聴者入力端末に記憶しておくので、制御用サーバーへのアクセス、視聴者入力端末での各種処理、制御用サーバーと視聴者入力端末との間での各種処理等を、容易に、且つ、速やかに行うことができる。また、テレビジョン番組の制作現場においては、リアルタイムで視聴者の参加結果が分かるので、放映中のテレビジョン番組を通じて参加者全員に応答することが可能となり、より高い演出効果を作り出すことができる。
【図面の簡単な説明】
【図１】本発明のテレビ放送システムの概念図である。
【図２】本発明のテレビ放送システムのフロー概略図である。
【符号の説明】
１０・・・制御用サーバー、２０・・・通信回線（携帯電話通信回線網）、３０・・・視聴者入力端末（携帯電話）、４０・・・テレビジョン受像機、５０・・・テレビジョン放送局、５１・・・通信回線、５２・・・制御装置、５３・・・表示装置
【図１】
0004558147.tif 000002
【図２】
0004558147.tif 000003